(57)【要約】【課題】製造コストが削減された団扇を提供する。【解決手段】扇部１に、柄部２が連接された板状の部材からなる団扇Ｓ１であって、柄部２には、柄部２を中央で折り曲げる中央折り曲げ線５が、扇部１の中心Ｐに向かって形成されており、扇部１には、扇部１と柄部２の連接部３及び連接部４から、扇部１の中心Ｐに向かって、略円弧状の円弧状折り曲げ線６が形成される。【選択図】図１
0003170607.tif 000002
【実用新案登録請求の範囲】
【請求項１】
扇部に、柄部が連接された板状の部材からなる団扇であって、
前記柄部には、当該柄部を中央で折り曲げる中央折り曲げ線が、前記柄部の下端部から、前記扇部の中心方向に向かって形成されており、
前記扇部には、前記扇部と前記柄部の連接部から、前記扇部の中心方向に向かって、略円弧状の円弧状折り曲げ線が形成されることを特徴とする団扇。
【請求項２】
扇部に、柄部が連接された板状の部材からなる団扇であって、
前記柄部には、当該柄部を中央で折り曲げる中央折り曲げ線が、前記柄部の下端部から、前記扇部の中心方向に向かって形成されており、
前記扇部には、前記中央折り曲げ線の基端部から、前記扇部の中心方向に向かって分岐する分岐折り曲げ線がそれぞれ形成されることを特徴とする団扇。
【請求項３】
扇部に、柄部が連接された板状の部材からなる団扇であって、
前記柄部には、当該柄部を中央で折り曲げる中央折り曲げ線が、前記柄部の下端部から、前記扇部の中心方向に向かって形成されており、
前記扇部には、前記扇部と前記柄部の連接部から、前記扇部の中心方向に向かって、略円弧状の円弧状折り曲げ線と、
前記中央折り曲げ線の基端部から、前記扇部の中心方向に向かって分岐する分岐折り曲げ線がそれぞれ形成されることを特徴とする団扇。
【請求項４】
請求項１乃至３の何れか一項に記載の団扇であって、
前記扇部には、前記扇部と前記柄部の連接部から、前記扇部の中心方向に向かって、略円弧状の第２の折り曲げ線がさらに形成されることを特徴とする団扇。
【請求項５】
請求項１乃至４の何れか一項に記載の団扇であって、
前記中央折り曲げ線は、少なくとも２本の互いに平行な折り曲げ線であることを特徴とする団扇。
【請求項６】
請求項１乃至５の何れか１項に記載の団扇であって、
前記団扇は、１枚の板状の部材で構成されることを特徴とする団扇。
【考案の詳細な説明】
【技術分野】
【０００１】
本考案は、団扇の構造等に関する。
【背景技術】
【０００２】
古くから、手軽に涼をとることができる道具として団扇（うちわ）が広く使用されている。一般的に、団扇は、竹や樹脂材料の柄に連なった骨に、和紙やフィルム（プラスチックフィルム）の地紙が貼り付けられている。
【０００３】
また、近年、製造コスト削減及び環境性等の観点から、例えば、一枚の紙（段ボール）を折り曲げ、接着することにより製造される紙製の団扇が提案されている（例えば、特許文献１）。
【先行技術文献】
【特許文献】
【０００４】
【特許文献１】特開平８−２４０２１号公報
【考案の概要】
【考案が解決しようとする課題】
【０００５】
しかしながら、特許文献１に開示される団扇を製造するためには、接着という工程を踏まなければならず、十分に製造コストを削減するものではなかった。
【０００６】
そこで、本考案は上記問題点に鑑みてなされたものであり、その目的の一例は、製造コストを削減することができる団扇を提供することである。
【課題を解決するための手段】
【０００７】
上記課題を解決するために、請求項１に記載の考案は、扇部に、柄部が連接された板状の部材からなる団扇であって、前記柄部には、当該柄部を中央で折り曲げる中央折り曲げ線が、前記柄部の下端部から、前記扇部の中心方向に向かって形成されており、前記扇部には、前記扇部と前記柄部の連接部から、前記扇部の中心方向に向かって、略円弧状の円弧状折り曲げ線が形成されることを特徴とする。
【０００８】
この考案によれば、製造コストが削減された団扇を提供することができる。
【０００９】
また、請求項２に記載の考案は、扇部に、柄部が連接された板状の部材からなる団扇であって、前記柄部には、当該柄部を中央で折り曲げる中央折り曲げ線が、前記柄部の下端部から、前記扇部の中心方向に向かって形成されており、前記扇部には、前記中央折り曲げ線の基端部から、前記扇部の中心方向に向かって分岐する分岐折り曲げ線がそれぞれ形成されることを特徴とする。
【００１０】
この考案によれば、製造コストが削減された団扇を提供することができる。
【００１１】
また、請求項３に記載の考案は、扇部に、柄部が連接された板状の部材からなる団扇であって、前記柄部には、当該柄部を中央で折り曲げる中央折り曲げ線が、前記柄部の下端部から、前記扇部の中心方向に向かって形成されており、前記扇部には、前記扇部と前記柄部の連接部から、前記扇部の中心方向に向かって、略円弧状の円弧状折り曲げ線と、前記中央折り曲げ線の基端部から、前記扇部の中心方向に向かって分岐する分岐折り曲げ線がそれぞれ形成されることを特徴とする。
【００１２】
この考案よれば、扇部の形状がより凹形状へと変形し易くなるため、より製造コストが削減された団扇を提供することができる。
【００１３】
また、請求項４に記載の考案は、請求項１乃至３の何れか一項に記載の団扇であって、前記扇部には、前記扇部と前記柄部の連接部から、前記扇部の中心方向に向かって、略円弧状の第２の折り曲げ線がさらに形成されることを特徴とする。
【００１４】
この考案によれば、扇部の形状がより凹形状へと変形し易くなるため、より製造コストが削減された団扇を提供することができる。
【００１５】
また、請求項５に記載の考案は、請求項１乃至４の何れか一項に記載の団扇であって、前記中央折り曲げ線は、少なくとも２本の互いに平行な折り曲げ線であることを特徴とする。
【００１６】
また、請求項６に記載の考案は、請求項１乃至５の何れか１項に記載の団扇であって、前記団扇は、１枚の板状の部材で構成されることを特徴とする。
【考案の効果】
【００１７】
以上のように、本考案によれば、製造コストが削減された団扇を提供することができる。
【図面の簡単な説明】
【００１８】
【図１】第１実施形態に係る団扇Ｓ１の展開図である。
【図２】第１実施形態に係る団扇Ｓ１の使用前の状態を示す斜視図である。
【図３】第１実施形態に係る団扇Ｓ１の使用時の状態を示す斜視図である。
【図４】第１実施形態に係る団扇Ｓ１の使用前の状態から使用時の状態への遷移を横方向から示す斜視図である。
【図５】第２実施形態に係る団扇Ｓ２の展開図である。
【図６】第２実施形態に係る団扇Ｓ２の使用時の状態を示す斜視図である。
【図７】第３実施形態に係る団扇Ｓ３の展開図である。
【図８】第３実施形態に係る団扇Ｓ３の使用時の状態を示す斜視図である。
【図９】第４実施形態に係る団扇Ｓ４の展開図である。
【図１０】第４実施形態に係る団扇Ｓ４の使用時の状態を示す斜視図である。
【図１１】第５実施形態に係る団扇Ｓ５の展開図である。
【図１２】第５実施形態に係る団扇Ｓ５の使用時の状態を示す斜視図である。
【図１３】第６実施形態に係る団扇Ｓ６の展開図である。
【図１４】第６実施形態に係る団扇Ｓ６の使用時の状態を示す斜視図である。
【図１５】第７実施形態に係る団扇Ｓ７の展開図である。
【図１６】第７実施形態に係る団扇Ｓ７の使用時の状態を示す斜視図である。
【考案を実施するための形態】
【００１９】
以下に、本願の最良の実施形態を添付図面に基づいて説明する。
【００２０】
［１．第１実施形態］
図１〜図４を参照して、第１実施形態に係る団扇について説明する。
【００２１】
まず、図１を参照して、第１実施形態に係る団扇Ｓ１の形状について説明する。
【００２２】
図１は、第１実施形態に係る団扇Ｓ１の展開図である。
【００２３】
ここで説明の便宜上、座標軸２００を定義する。座標軸２００において、Ｙ軸方向（紙面の鉛直方向）を総称して長手方向と、Ｘ軸方向（紙面の水平方向）を短手方向と定義する。さらに、Ｙ軸の矢印が示す方向を上方（上端）と、これと対向する方向を下方（下端）と定義する。また、Ｘ軸の矢印が示す方向を右と、これと対向する方向を左と定義する。さらに、紙面側を表側と、紙面と対向する側を裏側と定義する。
【００２４】
図１に示すように、団扇Ｓ１（本願の団扇の一例）は、紙、上質紙、ボール紙やＰＥＴ材等の薄型樹脂製板材等の折り曲げ可能な板状の部材（本願の板状の部材の一例）を素材とし、扇部１（本願の扇部の一例）に、連接部３及び連接部４を介して、柄部２（本願の柄部の一例）が連接されている。
【００２５】
団扇Ｓ１は、上述した板状の部材を、この団扇Ｓ１と略同じ形の金型（例えば、いわゆるビク型等）により打ち抜いて形成される。打ち抜かれる際に、図１における実線部分の切断が行われる。
【００２６】
なお、このような板状の部材を形成する金型は、合成樹脂により構成される製品を形成する金型のようにキャビティ型及びコア型から構成されるいわゆる二枚構造ではなく、また、イジェクタピン等の機構を備える必要がないため、低価格で製作することができる。
【００２７】
扇部１は、略円弧状の外形を示し、柄部２の往復運動に伴って、団扇Ｓ１の使用者に風（涼風）を提供する（いわゆる、使用者の「団扇を扇ぐ」動作によって、使用者に風が提供される）。なお、本考案の一例として、扇部１の外形は略円弧状を示しているが、これに限定されず、略矩形、多角形、又はハート型（heart-shaped）等、種々の外形を適用することができる。
【００２８】
柄部２は、団扇Ｓ１の使用者に把持され、使用者によって加えられる往復運動による動力を、扇部１へ伝達する。そして、柄部２は、扇部１の略円弧状の外形部の終端部分から延出される連接部３及び連接部４を介して、扇部１に連接されている。
【００２９】
この扇部１又は柄部２に、例えば、商品又は役務等の商品名（標章）、効能、使用方法等を示す宣伝広告文字、写真等を表示（例えば、印刷等）することによって、団扇Ｓ１を、商品又は役務等の宣伝広告媒体として機能させることもできる。
【００３０】
そして、柄部２には、柄部２を中央で折り曲げる中央折り曲げ線５（本願の中央折り曲げ線の一例）が、柄部２の下端部Ｕから、扇部１の中心Ｐ（本願の中心方向の一例）に向かって、柄部２の長手方向に形成されている。本実施形態においては、中央折り曲げ線５は、柄部２の下端部Ｕ（頂点）と扇部１の中心Ｐを結ぶ線上に形成されている。
【００３１】
この中央折り曲げ線５は、柄部２を中央で山折りすることを示す標識（目印）であり、例えば、上述した板状の部材に、筋付け（筋押し、又は筋入れ）、リード罫（ミシン目）、連続するパンチ穴の集合、又はハーフカット等の各処理を施すことにより形成される。なお、中央折り曲げ線５は、リード罫のように、板状の部材（柄部２）の一部を残して打ち抜かれるようにすることにより、強度を維持することができる。
【００３２】
以下に示す実施形態において、他に示す折り曲げ線（例えば、後述する略円弧状の円弧状折り曲げ線６等）は、特に説明する場合を除き、図面中において点線で示し、上述した特性を有する。
【００３３】
なお、中央折り曲げ線５は、柄部２を中央で山折り（すなわち、互いに近接する方向に折りたたみ）可能に連結したものでもよく、例えば、中央折り曲げ線５を、線状に打ち抜き（スリット状に打ち抜き）、事後的にテープ等で接合して連結するようにしてもよい。
【００３４】
さらに、扇部１には、扇部１と柄部２の連接部３及び連接部４から、扇部１の中心Ｐに向かって、略円弧状の円弧状折り曲げ線６（本願の略円弧状の円弧状折り曲げ線の一例）が形成されている。具体的には、円弧状折り曲げ線６は、柄部２を挟んだ両側の連接部３及び連接部４上の任意の点をそれぞれ端部として、扇部１の中心Ｐに向かって形成された略円弧状の折り曲げ線である。
【００３５】
この円弧状折り曲げ線６は、扇部１を凹形状にするための折り曲げ線である。
【００３６】
具体的には、柄部２が、中央折り曲げ線５で山折りされると、円弧状折り曲げ線６の上記端部は、互いに近接する方向（中央折り曲げ線５の方向）へ引っ張られる。すると、扇部１は、円弧状折り曲げ線６を介して、中央折り曲げ線５と反対方向へ湾曲する（すなわち、谷折り方向へ湾曲する）。すると、扇部１は、中心Ｐを基準として、凹形状となるようになっている。
【００３７】
なお、円弧状折り曲げ線６の上記端部は、連接部３及び連接部４上に設けられればよく、図１に示される位置に限定されるものではない。
【００３８】
次に、図２〜図４を参照して、団扇Ｓ１の使用状態について説明する。
【００３９】
図２は第１実施形態に係る団扇Ｓ１の使用前の状態を示す斜視図であり、図３は第１実施形態に係る団扇Ｓ１の使用時の状態を示す斜視図であり、図４は第１実施形態に係る団扇Ｓ１の使用前の状態から使用時の状態への遷移を示す斜視図である。なお、図４では、団扇Ｓ１の使用時の状態を、図３の斜視図に示す矢印Ｘ−Ｘ方向から見た断面図にて示している。
【００４０】
図２及び図４に示す団扇Ｓ１の使用前の状態において、例えば、団扇Ｓ１の使用者の指等によって、柄部２がつままれると、柄部２は、中央折り曲げ線５で山折りされ、円弧状折り曲げ線６の上記端部は、互いに近接する方向へ引っ張られる。すると、扇部１は、円弧状折り曲げ線６を介して、中央折り曲げ線５と反対方向へ湾曲する。すると、図３及び図４に示すように、扇部１は、中心Ｐを基準として、凹形状となる。すなわち、図４に示すように、柄部２が中央折り曲げ線５で山折りされると、団扇Ｓ１は、図４の矢印Ｑ方向へ変形する。
【００４１】
なお、以下に示す実施形態（第１実施形態〜第５実施形態）において、図４に示す団扇の断面形状は略同一であるためその説明を省略する。
【００４２】
以上説明したように、本実施形態によれば、扇部１に、柄部２が連接された板状の部材からなる団扇Ｓ１であって、柄部２には、柄部２を中央で折り曲げる中央折り曲げ線５が、柄部２の下端部Ｕから、扇部１の中心Ｐに向かって形成されており、扇部１には、扇部１と柄部２の連接部３及び連接部４から、扇部１の中心Ｐに向かって、略円弧状の円弧状折り曲げ線６が形成されるように構成したため、中央折り曲げ線５を折り曲げることにより、扇部１が凹形状となり、一の折り曲げ動作で団扇Ｓ１を製造することができるため製造コストが削減された団扇を提供することができる。さらに、一の板状の部材から団扇Ｓ１を製造することができるため、製造コストが削減された団扇を提供することができる。また、扇部１が凹形状となるため、団扇Ｓ１の使用者に、十分な涼風を提供することができる。
【００４３】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００４４】
具体的には、例えば、中央折り曲げ線５及び円弧状折り曲げ線６は、連続した形状を示す折り曲げ線として形成される場合に限定されない。具体的には、中央折り曲げ線５又は円弧状折り曲げ線６は、上述したリード罫のように板状の部材（扇部１又は柄部２）の一部を残して打ち抜かれる（すなわち、分断されたスリット状に打ち抜かれる）ようにしても良いし、中央折り曲げ線５（略直線形状）及び円弧状折り曲げ線６（略円弧状の形状）の一部に対して、上述した筋付けを施すようにしても良い。
【００４５】
また、本実施形態において円弧状折り曲げ線６の上端部（頂点部）は、中心Ｐの近辺を通過するように構成されているが、これに限定されず、円弧状折り曲げ線６の上端部は、中心Ｐの周囲（例えば、中心Ｐから所定の間隔離れた位置）を通過するように構成されていればよい。この実施形態については後述する。
【００４６】
［２．第２実施形態］
次に、図５及び図６を参照して、第２実施形態に係る団扇について説明する。
【００４７】
第２実施形態に係る団扇Ｓ２が、第１実施形態に係る団扇Ｓ１と異なる点は、円弧状折り曲げ線６の代わりに、分岐折り曲げ線７及び分岐折り曲げ線８を設けたことである。なお、以下に示す図面（第１実施形態〜第５実施形態に係る図面）において、既に説明した図面と同一の部材名又は部材番号を示す部材は、少なくとも同一の機能を有するものとして、その部材の構成、作用及び効果の詳しい説明については省略する。
【００４８】
まず、図５を参照して、第２実施形態に係る団扇Ｓ２の形状について説明する。
【００４９】
図５は、第２実施形態に係る団扇Ｓ２の展開図である。
【００５０】
図５に示すように、扇部１には、中央折り曲げ線５の上端部Ａから、扇部１の中心Ｐに向かって分岐する分岐折り曲げ線７（本願の扇部１の中心方向に向かって分岐する分岐折り曲げ線の一例）、及び分岐折り曲げ線８（本願の扇部１の中心方向に向かって分岐する分岐折り曲げ線の一例）がそれぞれ形成されている。
【００５１】
この分岐折り曲げ線７、及び分岐折り曲げ線８は、扇部１を凹形状にするための折り曲げ線である。
【００５２】
具体的には、柄部２が、中央折り曲げ線５で山折りされると、分岐折り曲げ線７、及び分岐折り曲げ線８も同様に山折りされ、扇部１の下端部（連接部３及び連接部４等を含む）は、互いに近接する方向（中央折り曲げ線５の方向）へ引っ張られる。すると、扇部１は、中央折り曲げ線５と反対方向へ湾曲する（すなわち、谷折り方向へ湾曲する）。すると、扇部１は、中心Ｐを基準として、凹形状となるようになっている。
【００５３】
次に、図６を参照して、団扇Ｓ２の使用状態について説明する。
【００５４】
図６は、第２実施形態に係る団扇Ｓ２の使用時の状態を示す斜視図である。
【００５５】
例えば、団扇Ｓ２の使用者の指等によって、柄部２がつままれると、柄部２は、中央折り曲げ線５で山折りされ、分岐折り曲げ線７、及び分岐折り曲げ線８も同様に山折りされ、扇部１の下端部は、互いに近接する方向へ引っ張られる。すると、扇部１は、中央折り曲げ線５と反対方向へ湾曲する。すると、図６に示すように、扇部１は、中心Ｐを基準として、凹形状となる。
【００５６】
以上説明したように、本実施形態によれば、扇部１に、柄部２が連接された板状の部材からなる団扇Ｓ２であって、柄部２には、柄部２を中央で折り曲げる中央折り曲げ線５が、柄部２の下端部Ｕから、扇部１の中心Ｐに向かって形成されており、扇部１には、中央折り曲げ線５の上端部Ａから扇部１の中心Ｐに向かって分岐する分岐折り曲げ線７、及び分岐折り曲げ線８がそれぞれ形成されるように構成したため、中央折り曲げ線５を折り曲げることにより、扇部１が凹形状となり、一の折り曲げ動作で団扇Ｓ２を製造することができるため製造コストが削減された団扇Ｓ２を提供することができる。さらに、一の板状の部材から団扇Ｓ２を製造することができるため、製造コストが削減された団扇を提供することができる。また、扇部１が凹形状となるため、団扇Ｓ２の使用者に、十分な涼風を提供することができる。
【００５７】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００５８】
具体的には、例えば、図５に示す例では、中央折り曲げ線５の上端部Ａと、分岐折り曲げ線７及び分岐折り曲げ線８は、所定の間隔をあけて形成されているが、中央折り曲げ線５の上端部Ａと、分岐折り曲げ線７及び分岐折り曲げ線８を接続するようにしても良い。
【００５９】
また、本実施形態において、分岐折り曲げ線７及び分岐折り曲げ線８は、扇部１の中心Ｐに向かって分岐するように形成されているが、これに限定されることはない。具体的には、扇部１の中心Ｐに向かって分岐するように形成される分岐折り曲げ線７の上端部７Ａと、分岐折り曲げ線８の上端部８Ａは、扇部１の中心Ｐの下方に形成されているが、分岐折り曲げ線７の上端部７Ａ及び分岐折り曲げ線８の上端部８Ａをそれぞれ、扇部１の外縁部（外形部）まで延長させるようにしても良い。この実施形態については後述する。
【００６０】
［３．第３実施形態］
次に、図７及び図８を参照して、第３実施形態に係る団扇について説明する。
【００６１】
第３実施形態に係る団扇Ｓ３が、第１実施形態に係る団扇Ｓ１及び第２実施形態に係るＳ２と異なる点は、扇部１に、円弧状折り曲げ線６と、分岐折り曲げ線７及び分岐折り曲げ線８を全て設けたことである。
【００６２】
まず、図７を参照して、第３実施形態に係る団扇Ｓ３の形状について説明する。
【００６３】
図７は、第３実施形態に係る団扇Ｓ３の展開図である。
【００６４】
図７に示すように、扇部１には、扇部１と柄部２の連接部３及び連接部４から、扇部１の中心Ｐに向かって、略円弧状の円弧状折り曲げ線６が形成されている。さらに、扇部１には、中央折り曲げ線５の上端部Ａから、扇部１の中心Ｐに向かって分岐する分岐折り曲げ線７、及び分岐折り曲げ線８がそれぞれ形成されている。
【００６５】
次に、図８を参照して、団扇Ｓ３の使用状態について説明する。
【００６６】
図８は、第３実施形態に係る団扇Ｓ３の使用時の状態を示す斜視図である。
【００６７】
例えば、団扇Ｓ３の使用者の指等によって、柄部２がつままれると、柄部２は、中央折り曲げ線５で山折りされ、円弧状折り曲げ線６の上記端部は、互いに近接する方向へ引っ張られる。また、この柄部２が中央折り曲げ線５で山折りされることにより、分岐折り曲げ線７、及び分岐折り曲げ線８も同様に山折りされ、扇部１の下端部は、互いに近接する方向へ引っ張られる。すると、扇部１は、中央折り曲げ線５と反対方向へ湾曲する。すると、図８に示すように、扇部１は、中心Ｐを基準として、凹形状となる。
【００６８】
以上説明したように、本実施形態によれば、扇部１に、柄部２が連接された板状の部材からなる団扇Ｓ３であって、柄部２には、柄部２を中央で折り曲げる中央折り曲げ線５が、柄部２の下端部Ｕから、扇部１の中心Ｐに向かって形成されており、扇部１には、扇部１と柄部２の連接部３及び連接部４から、扇部１の中心Ｐに向かって、略円弧状の円弧状折り曲げ線６と、中央折り曲げ線５の上端部Ａから、扇部１の中心Ｐに向かって分岐する分岐折り曲げ線７、及び分岐折り曲げ線８がそれぞれ形成されるように構成したため、中央折り曲げ線５を折り曲げることにより、扇部１が凹形状となり、扇部１の形状がより変形し易くなるため、より製造コストが削減された団扇Ｓ３を提供することができる。また、一の折り曲げ動作で団扇Ｓ３を製造することができるため製造コストが削減された団扇Ｓ３を提供することができる。さらに、一の板状の部材から団扇Ｓ３を製造することができるため、製造コストが削減された団扇Ｓ３を提供することができる。そして、扇部１が凹形状となるため、団扇Ｓ３の使用者に、十分な涼風を提供することができる。
【００６９】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００７０】
［４．第４実施形態］
次に、図９及び図１０を参照して、第４実施形態に係る団扇について説明する。
【００７１】
第４実施形態に係る団扇Ｓ４が、第１実施形態〜第３実施形態に係る団扇Ｓ１〜Ｓ３と異なる点は、第２の折り曲げ線９（本願の略円弧状の第２の折り曲げ線の一例）、及び第２の折り曲げ線１０（本願の略円弧状の第２の折り曲げ線の一例）を設けたことである。
【００７２】
まず、図９を参照して、第４実施形態に係る団扇Ｓ４の形状について説明する。
【００７３】
図９は、第４実施形態に係る団扇Ｓ４の展開図である。
【００７４】
図９に示すように、扇部１には、扇部１と柄部２の連接部３及び連接部４から、扇部１の中心Ｐに向かって、略円弧状の第２の折り曲げ線９、及び第２の折り曲げ線１０が形成されている。
【００７５】
具体的には、第２の折り曲げ線９は、扇部１の略円弧状の外形部の終端部分と連接部３の接続部３Ａから、扇部１の中心Ｐに向かって形成されている。また、第２の折り曲げ線１０は、扇部１の略円弧状の外形部の終端部分と連接部４の接続部４Ａから、扇部１の中心Ｐに向かって形成されている。
【００７６】
この第２折り曲げ線９、及び第２の折り曲げ線１０を設けることによって、団扇Ｓ４の使用者が柄部２つまむ（把持する）際の負荷が軽減されるようになっている。
【００７７】
具体的には、上述したように、団扇Ｓ４の使用者が、柄部２をつまむと、円弧状折り曲げ線６の上記端部は互いに近接する方向へ引っ張られ、また、扇部１の下端部は互いに近接する方向へ引っ張られて、扇部１は、中心Ｐを基準として、凹形状となるのであるが、この際、扇部１に発生する反力（弾性力）により、扇部１は、引っ張られる前の形状に戻ろうとする。
【００７８】
第２折り曲げ線９、及び第２の折り曲げ線１０によって、上記反力が軽減されるようになっている。
【００７９】
次に、図１０を参照して、団扇Ｓ４の使用状態について説明する。
【００８０】
図１０は、第４実施形態に係る団扇Ｓ４の使用時の状態を示す斜視図である。
【００８１】
例えば、団扇Ｓ４の使用者の指等によって、柄部２がつままれると、柄部２は、中央折り曲げ線５で山折りされ、円弧状折り曲げ線６の上記端部は、互いに近接する方向へ引っ張られる。また、この柄部２が中央折り曲げ線５で山折りされることにより、分岐折り曲げ線７、及び分岐折り曲げ線８も同様に山折りされ、扇部１の下端部は、互いに近接する方向へ引っ張られる。すると、扇部１は、中央折り曲げ線５と反対方向へ湾曲する。すると、図１０に示すように、扇部１は、中心Ｐを基準として、凹形状となる。
【００８２】
この際、上述したように、第２の折り曲げ線９、及び第２の折り曲げ線１０によって、扇部１における引っ張られる前の形状に戻ろうとする反力が軽減されるのである。
【００８３】
以上説明したように、扇部１には、扇部１と柄部２の連接部３及び連接部４から、扇部１の中心Ｐに向かって、略円弧状の第２の折り曲げ線９、及び第２の折り曲げ線１０がさらに形成されるように構成したため、扇部１の形状がより変形し易くなるため、より製造コストが削減された団扇Ｓ４を提供することができる。また、一の折り曲げ動作で団扇Ｓ４を製造することができるため製造コストが削減された団扇を提供することができる。さらに、一の板状の部材から団扇Ｓ４を製造することができるため、製造コストが削減された団扇を提供することができる。そして、扇部１が凹形状となるため、団扇Ｓ４の使用者に、十分な涼風を提供することができる。
【００８４】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００８５】
具体的には、例えば、第２の折り曲げ線９、及び第２の折り曲げ線１０は、連続した形状を示す折り曲げ線として形成される場合に限定されない。具体的には、第２の折り曲げ線９、及び第２の折り曲げ線１０は、上述したリード罫のように板状の部材の一部を残して打ち抜かれるようにしても良いし、第２の折り曲げ線９、及び第２の折り曲げ線１０の一部に対して、上述した筋付けを施すようにしても良い。
【００８６】
［５．第５実施形態］
次に、図１１及び図１２を参照して、第５実施形態に係る団扇について説明する。
【００８７】
第５実施形態に係る団扇Ｓ５が、第１実施形態〜第４実施形態に係る団扇Ｓ１〜Ｓ４と異なる点は、中央折り曲げ線５の代わりに、少なくとも２本の互いに平行な折り曲げ線である中央折り曲げ線５Ａ及び中央折り曲げ線５Ｂを設けたことである。
【００８８】
まず、図１１を参照して、第５実施形態に係る団扇Ｓ５の形状について説明する。
【００８９】
図１１は、第５実施形態に係る団扇Ｓ５の展開図である。
【００９０】
図１１に示すように、柄部２の中央部部分には、柄部２を中央で折り曲げる中央折り曲げ線５Ａ、及び中央折り曲げ線５Ｂが、所定の間隔Ｓを隔てて、扇部１の中心Ｐに向かって形成されている。
【００９１】
この所定の間隔Ｓは、作業性向上及び使用上の観点から、３〜４ｍｍ程度の間隔を設定することにより、団扇Ｓ５の使用者が、柄部２を折り曲げ易く、かつ、つまみ易い（持ち易い）。
【００９２】
そして、中央折り曲げ線５Ａの基端部Ｃから、扇部１の中心Ｐに向かって分岐する分岐折り曲げ線７が形成される。また、中央折り曲げ線５Ｂの基端部Ｄから、扇部１の中心Ｐに向かって分岐する分岐折り曲げ線８が形成される。
【００９３】
次に、図１２を参照して、第５実施形態に係る団扇Ｓ５の使用状態について説明する。
【００９４】
図１２は、第５実施形態に係る団扇Ｓ５の使用時の状態を示す斜視図である。
【００９５】
例えば、団扇Ｓ４の使用者の指等によって、柄部２がつままれると、柄部２は、中央折り曲げ線５Ａ及び中央折り曲げ線５Ｂで山折りされ、円弧状折り曲げ線６の上記端部は、互いに近接する方向へ引っ張られる。また、この柄部２が中央折り曲げ線５Ａ及び中央折り曲げ線５Ｂで山折りされることにより、分岐折り曲げ線７、及び分岐折り曲げ線８も同様に山折りされ、扇部１の下端部は、互いに近接する方向へ引っ張られる。すると、扇部１は、中央折り曲げ線５Ａ及び中央折り曲げ線５Ｂと反対方向へ湾曲する。すると、図１２に示すように、扇部１は、中心Ｐを基準として、凹形状となる。
【００９６】
以上説明したように、本時実施形態によれば、少なくとも２本の互いに平行な折り曲げ線である中央折り曲げ線５Ａ及び中央折り曲げ線５Ｂを設けるように構成したため、柄部２の形状がより変形し易くなるため、より製造コストが削減された団扇Ｓ５を提供することができる。また、一の折り曲げ動作で団扇Ｓ５を製造することができるため製造コストが削減された団扇を提供することができる。さらに、一の板状の部材から団扇Ｓ５を製造することができるため、製造コストが削減された団扇を提供することができる。そして、扇部１が凹形状となるため、団扇Ｓ５の使用者に、十分な涼風を提供することができる。
【００９７】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００９８】
具体的には、所定の間隔Ｓは、任意の間隔を設定することができる。また、中央折り曲げ線５Ａ及び中央折り曲げ線５Ｂは、連続した形状を示す折り曲げ線として形成される場合に限定されない。
【００９９】
具体的には、中央折り曲げ線５Ａ及び中央折り曲げ線５Ｂは、上述したリード罫のように板状の部材の一部を残して打ち抜かれるようにしても良いし、中央折り曲げ線５Ａ及び中央折り曲げ線５Ｂの一部に対して、上述した筋付けを施すようにしても良い。
【０１００】
また、図１１に示す例では、中央折り曲げ線５Ａの基端部Ｃと分岐折り曲げ線７、及び中央折り曲げ線５Ｂの基端部Ｄと分岐折り曲げ線８は、所定の間隔をあけて形成されているが、中央折り曲げ線５Ａの基端部Ｃと分岐折り曲げ線７、及び中央折り曲げ線５Ｂの基端部Ｄと分岐折り曲げ線８を、それぞれ接続するようにしても良い。
【０１０１】
［６.第６実施形態］
次に、図１３及び図１４を参照して、第６実施形態に係る団扇について説明する。
【０１０２】
第６実施形態に係る団扇Ｓ６が、第１実施形態〜第５実施形態に係る団扇Ｓ１〜Ｓ５と異なる点は、円弧状折り曲げ線の上端部が扇部１の中心Ｐの周囲を通過するように構成したことである。
【０１０３】
まず、図１３を参照して、第６実施形態に係る団扇Ｓ６の形状について説明する。
【０１０４】
図１３は、第６実施形態に係る団扇Ｓ６の展開図である。なお図１３において、説明の便宜上、中心Ｐを通り長手方向に設定された軸をＹ´軸と、中心Ｐを通り短手方向に設定された軸をＸ´軸とする。また、図１３に示す例では、第６実施形態に係る円弧状折り曲げ線の設定例を概念的に複数（図１３に示す例では、円弧状折り曲げ線１０Ａ及び円弧状折り曲げ線１０Ｂ）示している。これら複数の円弧状折り曲げ線の設定例のうち、少なくとも一つの円弧状折り曲げ線が適用された場合に、本実施形態に係る団扇Ｓ６の円弧状折り曲げ線の機能及び効果を奏する。
【０１０５】
図１３に示すように、扇部１には、扇部１と柄部２の連接部３及び連接部４から、扇部１の中心Ｐに向かって、略円弧状の円弧状折り曲げ線１０Ａが形成されている。この円弧状折り曲げ線１０の上端部Ｖは、中心Ｐから下方へ、所定の間隔離れた位置（中心Ｐの周囲の一例）を通過するようになっている。
【０１０６】
この円弧状折り曲げ線１０の上端部Ｖの位置は、Ｙ´軸上であって、扇部１の上端部Ｗから中央折り曲げ線５の上端部Ａの間であれば任意の位置に設定することができる。
【０１０７】
例えば、図１３に示すように、円弧状折り曲げ線１０Ｂの上端部Ｖ´を、中心Ｐから上方へ、所定の間隔離れた位置を通過するようにしてもよい。
【０１０８】
次に、図１４を参照して、団扇Ｓ６の使用状態について説明する。
【０１０９】
図１４は、第６実施形態に係る団扇Ｓ６の使用時の状態を示す斜視図である。なお、図１４では、図１３に示された複数の円弧状折り曲げ線の設定例のうち、円弧状折り曲げ線１０Ａが適用された場合の団扇Ｓ６を示している。
【０１１０】
例えば、団扇Ｓ１の使用者の指等によって、柄部２がつままれると、柄部２は、中央折り曲げ線５で山折りされ、円弧状折り曲げ線１０Ａの上記端部は、互いに近接する方向へ引っ張られる。すると、扇部１は、円弧状折り曲げ線１０Ａを介して、中央折り曲げ線５と反対方向へ湾曲する。すると、図４に示すように、扇部１は、円弧状折り曲げ線１０の上端部Ｖを基準として、凹形状となる。
【０１１１】
［７.第７実施形態］
次に、図１５及び図１６を参照して、第６実施形態に係る団扇について説明する。
【０１１２】
第７実施形態に係る団扇Ｓ７が、第１実施形態〜第６実施形態に係る団扇Ｓ１〜Ｓ６と異なる点は、分岐折り曲げ線の上端部をそれぞれ、扇部１の外縁部（外形部）まで延長させるように構成したことである。
【０１１３】
まず、図１３を参照して、第７実施形態に係る団扇Ｓ７の形状について説明する。
【０１１４】
図１４は、第７実施形態に係る団扇Ｓ７の展開図である。
【０１１５】
図１４に示すように、分岐折り曲げ線１１の上端部１１Ａと、分岐折り曲げ線１２の上端部１２Ａはそれぞれ、扇部１の外縁部（外形部）まで延長させるように形成されている。
【０１１６】
次に、図１６を参照して、団扇Ｓ７の使用状態について説明する。
【０１１７】
図１６は、第７実施形態に係る団扇Ｓ７の使用時の状態を示す斜視図である。
【０１１８】
例えば、団扇Ｓ１の使用者の指等によって、柄部２がつままれると、柄部２は、中央折り曲げ線５で山折りされ、分岐折り曲げ線１１、及び分岐折り曲げ線１２も同様に山折りされ、分岐折り曲げ線１１の上端部１１Ａと分岐折り曲げ線１２の上端部１２Ａは、互いに近接する方向へ引っ張られる。すると、扇部１は、中央折り曲げ線５と同じ方向（表側に突出する方向）へ湾曲する。すると、図１６に示すように、扇部１は、中心Ｐを基準として、凸形状となる。
【符号の説明】
【０１１９】
１    扇部
２    柄部
３    連接部
４    連接部
５    中央折り曲げ線
５Ａ  中央折り曲げ線
５Ｂ  中央折り曲げ線
６    円弧状折り曲げ線
７    分岐折り曲げ線
８    分岐折り曲げ線
９    第２の折り曲げ線
１０  第２の折り曲げ線
Ｓ１  団扇
Ｓ２  団扇
Ｓ３  団扇
Ｓ４  団扇
Ｓ５  団扇
Ｓ６  団扇
Ｓ７  団扇
【図１】
0003170607.tif 000003
【図２】
0003170607.tif 000004
【図３】
0003170607.tif 000005
【図４】
0003170607.tif 000006
【図５】
0003170607.tif 000007
【図６】
0003170607.tif 000008
【図７】
0003170607.tif 000009
【図８】
0003170607.tif 000010
【図９】
0003170607.tif 000011
【図１０】
0003170607.tif 000012
【図１１】
0003170607.tif 000013
【図１２】
0003170607.tif 000014
【図１３】
0003170607.tif 000015
【図１４】
0003170607.tif 000016
【図１５】
0003170607.tif 000017
【図１６】
0003170607.tif 000018